(57)【要約】【課題】簡易に電子メールを受信でき、その内容を確認できる電話機を提供すること。【解決手段】携帯電話機１は、操作部１１への入力に基づいて、着呼への応答処理を行う通信処理部４１と、通信処理部４１で受信した電子メールのテキストデータを音声データに変換する音声処理部４３と、通信処理部４１において電子メールを受信した際に、報知部によって着呼時と同様の報知を行い、操作部１１からの入力に基づいて、音声処理部４３により変換された音声データをスピーカ２２により出力するように制御するＣＰＵ４９と、を備えることを特徴とする。【選択図】図２
2010171543.tif 000002
【特許請求の範囲】
【請求項１】
電子メールを受信する電子メール受信部と、
音声通話の発着呼を行う音声通話部と、
前記音声通話部において着呼した際に、当該着呼を報知する報知部と、
前記着呼への応答処理に関する指示入力を受け付ける着呼応答指示入力部と、
前記着呼応答指示入力部への入力に基づいて、前記着呼への応答処理を行う着呼応答処理部と、
前記電子メール受信部で受信した電子メールのテキストデータを音声データに変換する音声変換部と、
前記着呼への応答処理後に前記音声通話部にて受信される音声データ、又は前記音声変換部により変換された音声データを出力する音声出力部と、
前記電子メール受信部において電子メールを受信した際に、前記報知部によって前記着呼時と同様の報知を行い、前記着呼応答指示入力部からの入力に基づいて、前記音声変換部により変換された音声データを前記音声出力部により出力するように制御する制御部と
を備えることを特徴とする電話機。
【請求項２】
前記制御部は、
前記電子メール受信部による前記電子メールの受信後に、前記音声変換部において前記電子メールのテキストデータの変換を開始させることを特徴とする請求項１に記載の電話機。
【請求項３】
前記制御部は、
前記着呼応答指示入力部からの入力を受け付けた後に、前記音声変換部において前記電子メールのテキストデータの変換を開始させることを特徴とする請求項１に記載の電話機。
【請求項４】
記憶部と、
前記着呼中に、前記着呼応答指示入力部から当該着呼への応答を指示する入力がなかった場合に、当該着呼への応答処理を行い、前記音声通話部にて受信される音声データを前記記憶部に記憶させる不在着信録音モードの有効又は無効を設定するモード設定部と、
前記記憶部に記憶された音声信号の再生を指示する入力を受け付ける再生指示入力部と、
を更に備え、
前記制御部は、
前記不在着信録音モードが有効に設定されている場合、
前記電子メール受信部において電子メールを受信した際に、前記報知部によって前記着呼時と同様の報知が行われている間に前記着呼応答指示入力部からの入力がなかった場合、前記音声変換部により変換された前記音声データを前記記憶部に記憶させ、
前記再生指示入力部からの入力に基づき、前記記憶部に記憶された前記音声データを前記音声出力部により出力させる
請求項１又は２に記載の電話機。
【請求項５】
記憶部と、
前記着呼中に、前記着呼応答指示入力部から当該着呼への応答を指示する入力がなかった場合に、当該着呼への応答処理を行い、前記音声通話部にて受信される音声データを前記記憶部に記憶させる不在着信録音モードの有効又は無効を設定するモード設定部と、
前記記憶部に記憶された音声データの再生を指示する入力を受け付ける再生指示入力部と、
を更に備え、
前記制御部は、
前記不在着信録音モードが有効に設定されている場合、
前記電子メール受信部において電子メールを受信した際に、前記報知部によって前記着呼時と同様の報知が行われている間に前記着呼応答指示入力部からの入力がなかった場合、当該電子メールのテキストデータを前記記憶部に記憶させ、
前記再生指示入力部からの入力に基づき、前記記憶部に記憶された前記電子メールのテキストデータを前記音声変換部により音声データに変換させ、当該音声データを前記音声出力部に出力させる
請求項１又は３に記載の電話機。
【発明の詳細な説明】
【技術分野】
【０００１】
本発明は、音声通話機能と電子メール機能を有する電話機に関する。
【背景技術】
【０００２】
近年、携帯電話機等、様々な機能を有する電話機が提案されている。
【０００３】
例えば、操作部による電子メール機能の操作が困難な状況において、操作部の代替手段を用いた技術が提案されている（特許文献１参照）。
【０００４】
特許文献１には、携帯通信機器により受信された電子メールを報知装置へ転送し、報知装置は、車両が走行中であるか否かを判定する。そして、走行中であるときは、転送された電子メールを自動音声によって読み上げる技術が提案されている。
【先行技術文献】
【特許文献】
【０００５】
【特許文献１】特開２００４−３２０１６３号公報
【発明の概要】
【発明が解決しようとする課題】
【０００６】
一方、電子メール機能において、操作部での操作の習得が不得手なユーザ（例えば、高齢者等）も存在する。そして、このようなユーザは、電子メール機能の使用を敬遠してしまう可能性があった。
【０００７】
このように、電子メール機能を有する携帯電子機器において、ユーザの使用状況やユーザの世代に適合した機能が求められている。
【０００８】
そこで、本発明は、簡易に電子メールを受信でき、その内容を確認できる電話機を提供することを目的とする。
【課題を解決するための手段】
【０００９】
本発明に係る電話機は、上記課題を解決するために、電子メールを受信する電子メール受信部と、音声通話の発着呼を行う音声通話部と、前記音声通話部において着呼した際に、当該着呼を報知する報知部と、前記着呼への応答処理に関する指示入力を受け付ける着呼応答指示入力部と、前記着呼応答指示入力部への入力に基づいて、前記着呼への応答処理を行う着呼応答処理部と、前記電子メール受信部で受信した電子メールのテキストデータを音声データに変換する音声変換部と、前記着呼への応答処理後に前記音声通話部にて受信される音声データ、又は前記音声変換部により変換された音声データを出力する音声出力部と、前記電子メール受信部において電子メールを受信した際に、前記報知部によって前記着呼時と同様の報知を行い、前記着呼応答指示入力部からの入力に基づいて、前記音声変換部により変換された音声データを前記音声出力部により出力するように制御する制御部とを備えることを特徴とする。
【００１０】
また、前記制御部は、前記電子メール受信部による前記電子メールの受信後に、前記音声変換部において前記電子メールのテキストデータの変換を開始させることが好ましい。
【００１１】
また、前記制御部は、前記着呼応答指示入力部からの入力を受け付けた後に、前記音声変換部において前記電子メールのテキストデータの変換を開始させることが好ましい。
【００１２】
また、前記電話機は、記憶部と、前記着呼中に、前記着呼応答指示入力部から当該着呼への応答を指示する入力がなかった場合に、当該着呼への応答処理を行い、前記音声通話部にて受信される音声データを前記記憶部に記憶させる不在着信録音モードの有効又は無効を設定するモード設定部と、前記記憶部に記憶された音声データの再生を指示する入力を受け付ける再生指示入力部と、を更に備え、前記制御部は、前記不在着信録音モードが有効に設定されている場合、前記電子メール受信部において電子メールを受信した際に、前記報知部によって前記着呼時と同様の報知が行われている間に前記着呼応答指示入力部からの入力がなかった場合、前記音声変換部により変換された前記音声データを前記記憶部に記憶させ、前記再生指示入力部からの入力に基づき、前記記憶部に記憶された前記音声データを前記音声出力部により出力させることが好ましい。
【００１３】
また、前記電話機は、記憶部と、前記着呼中に、前記着呼応答指示入力部から当該着呼への応答を指示する入力がなかった場合に、当該着呼への応答処理を行い、前記音声通話部にて受信される音声データを前記記憶部に記憶させる不在着信録音モードの有効又は無効を設定するモード設定部と、前記記憶部に記憶された音声信号の再生を指示する入力を受け付ける再生指示入力部と、を更に備え、前記制御部は、前記不在着信録音モードが有効に設定されている場合、前記電子メール受信部において電子メールを受信した際に、前記報知部によって前記着呼時と同様の報知が行われている間に前記着呼応答指示入力部からの入力がなかった場合、当該電子メールのテキストデータを前記記憶部に記憶させ、前記再生指示入力部からの入力に基づき、前記記憶部に記憶された前記電子メールのテキストデータを前記音声変換部により音声データに変換させ、当該音声データを前記音声出力部に出力させることが好ましい。
【発明の効果】
【００１４】
本発明によれば、簡易に電子メールを受信でき、その内容を確認できる電話機を提供することができる。
【図面の簡単な説明】
【００１５】
【図１】本発明に係る電話機の一例である携帯電話機の外観正面図である。
【図２】携帯電話機の機能を示すブロック図である。
【図３】携帯電話機の処理の流れについて示すフローチャートである。
【図４】メモリに保存されたメッセージを再生する処理の流れについて示すフローチャートである。
【発明を実施するための形態】
【００１６】
以下、本発明の実施形態について説明する。図１は、本発明に係る電話機の一例である携帯電話機１の外観正面図を示す。なお、図１は、操作部と表示部とが１つの筐体に配置され、連結部を有さない形式のいわゆるストレートタイプの携帯電話機の形態を示しているが、本発明に係る携帯電話機の形態はこれに限られない。例えば、操作部が配置された第１筐体と表示部が配置された第２筐体とが連結部を介して開閉可能に構成される折り畳み型や、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式（ターンタイプ）でもよい。
【００１７】
携帯電話機１は、表面部１０に、操作部１１と、マイク１２と、表示部２１と、スピーカ２２と、を備える。
【００１８】
操作部１１は、各種設定機能や電話帳機能等の各種機能を作動させるための機能設定操作ボタン１３と、音声通話の着呼に応答して通話を開始するための通話キー（オフフックキー）１３ａと、通話を切断する終話キー（オンフックキー）１３ｂと、電話番号等を入力するための入力操作ボタン１４と、各種操作における決定やスクロール等を行う決定操作ボタン１５と、から構成されている。
【００１９】
図２は、携帯電話機１の機能を示すブロック図である。携帯電話機１は、操作部１１（着呼応答指示入力部、再生指示入力部）と、マイク１２と、メインアンテナ４０と、通信処理部４１（電子メール受信部、音声通話部）と、表示制御部４２と、音声処理部４３（音声変換部）と、メモリ４４（記憶部）と、ＬＥＤ（Ｌｉｇｈｔ  Ｅｍｉｔｔｉｎｇ  Ｄｉｏｄｅ）４７と、電源制御回路部４８と、ＣＰＵ４９（制御部、着信応答処理部、モード設定部）と、バイブレーションモータ５０と、充電池５１と、表示部２１と、スピーカ２２（音声出力部）と、ドライバＩＣ２３とを備える。
【００２０】
マイク１２は、携帯電話機１の使用者が通話時に発した音声が入力される。メインアンテナ４０は、所定の使用周波数帯（例えば、８００ＭＨｚ）で外部装置と通信を行う。なお、本実施形態では、所定の使用周波数帯として、８００ＭＨｚとしたが、これ以外の周波数帯であってもよい。また、メインアンテナ４０は、所定の使用周波数帯の他に、他の使用周波数帯（例えば、２ＧＨｚ）に対応できる、いわゆるデュアルバンド対応型による構成であってもよい。
【００２１】
通信処理部４１は、ＲＦ回路部を含み、メインアンテナ４０によって受信した信号を復調処理し、処理後の信号をＣＰＵ４９に供給する。また、通信処理部４１は、ＣＰＵ４９から供給された信号を変調処理し、メインアンテナ４０を介して外部装置（基地局）に送信する。また、その一方で、通信処理部４１は、メインアンテナ４０によって受信している信号の強度をＣＰＵ４９に通知を行う。
【００２２】
表示制御部４２は、ＣＰＵ４９の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００２３】
音声処理部４３は、ＣＰＵ４９の制御にしたがって、通信処理部４１から供給された信号に対して所定の音声処理を行い、処理後の信号をスピーカ２２に出力する。スピーカ２２は、音声処理部４３から供給された信号を外部に出力する。
【００２４】
また、音声処理部４３は、ＣＰＵ４９の制御にしたがって、マイク１２から入力された信号を処理し、処理後の信号を通信処理部４１に出力する。通信処理部４１は、音声処理部４３から供給された信号に所定の処理を行い、処理後の信号をメインアンテナ４０に出力する。また、音声処理部４３は、電子メールのテキストデータを音声データに変換する処理を行う。即ち、音声処理部４３は、音声変換部として機能する。
【００２５】
メモリ４４は、例えば、ワーキングメモリを含み、ＣＰＵ４９による演算処理に利用される。具体的には、後述する音声データや電子メールのテキストデータ等を記憶することができる。なお、メモリ４４は、着脱可能な外部メモリを兼ねていてもよい。
【００２６】
ＬＥＤ４７は、電源制御回路部４８から供給される電圧に基づいて発光するように構成されている。
【００２７】
電源制御回路部４８は、充電池５１が接続されており、充電池５１から供給される電源電圧を所定の電源電圧に変換し、変換後の電源電圧をＬＥＤ４７等に供給する。なお、電源制御回路部４８は、他の電子部品や機能ブロック等にも電源供給することは勿論のことである。
【００２８】
次に、携帯電話機１における音声通話機能及び電子メール機能の動作について説明する。
【００２９】
通信処理部４１は、外部機器から送信された電子メールの受信、又は音声通話の発着呼を行う。通信処理部４１は、電子メール受信部、音声通話部として機能する。
【００３０】
ＣＰＵ４９は、通信処理部４１において音声通話を着呼した際に、報知部により着呼を所定の態様で報知する。ここで、表示部２１、スピーカ２２、及びバイブレーションモータ５０は、報知部として機能する。そして、ＣＰＵ４９は、報知部としての表示部２１、スピーカ２２、及びバイブレーションモータ５０の少なくともいずれか一つを用いて着呼の報知を行う。
【００３１】
操作部１１は、報知部により報知された着呼への応答処理に関する指示入力を受け付ける。なお、着呼への応答処理に関する指示入力は、例えば、着呼報知中のオフフックキー１３ａの押下による通話の開始指示である。つまり、操作部１１は、着信応答指示入力部を構成する。そして、ＣＰＵ４９は、操作部１１への入力操作に基づいて、音声通話の着呼への応答処理を行うように制御する。ＣＰＵ４９は、着呼応答処理部として機能する。
【００３２】
一方で、ＣＰＵ４９は、通信処理部４１において電子メールを受信した際に、報知部によって音声通話の着呼時と同様の報知を行う。つまり、ＣＰＵ４９は、通信処理部４１において電子メールを着信した際にも、音声通話の着呼時の報知方法として予め設定された方法によって、報知を行う。
【００３３】
通信処理部４１において電子メールを受信し、報知部によって音声通話の着呼時と同様の報知が行われている間に、オフフックキー１３ａが押下されると、ＣＰＵ４９は、受信した電子メールから音声処理部４３において生成された音声データを、スピーカ２２より出力する。スピーカ２２は、音声出力部として機能する。
【００３４】
このように本実施形態の携帯電話機１によれば、通信処理部４１において電子メールを受信した際に、報知部によって通話の着呼時と同様の報知を行う。そして、オフフックキー１３ａへの入力があると、受信した電子メールから音声処理部４３において変換された音声データを、スピーカ２２より出力する。
【００３５】
このため、ユーザは、電子メールの内容を音声通話と同様の動作で聴くことができる。したがって、ユーザは、音声通話の着呼と電子メールの受信とを意識せずに、携帯電話機１を使用することができ、携帯電話機１の利便性を向上させることができる。
【００３６】
なお、ＣＰＵ４９は、通信処理部４１による電子メールの受信後に、音声処理部４３において、電子メールのテキストデータの音声データへの変換を開始させるように制御してもよい。
【００３７】
このように構成することにより、携帯電話機１は、オフフックキー１３ａへの操作が行われる前に音声データを変換するため、オフフックキー１３ａへの操作が行われた後に、素早く音声データを出力することができる。
【００３８】
また、ＣＰＵ４９は、オフフックキー１３ａへの入力を受け付けた後に、音声処理部４３において電子メールのテキストデータの音声データへの変換を開始させるように制御してもよい。
【００３９】
このように構成することにより、携帯電話機１は、オフフックキー１３ａの操作後に電子メールのテキストデータを音声データに変換するため、オフフックキー１３ａの操作が行われる前の処理の負担を低減することができる。
【００４０】
次に、不在着信録音モードが有効に設定されている場合の携帯電話機１の動作について説明する。
【００４１】
ここで、不在着信録音モードは、音声通話の着呼の報知に対して一定時間内に通話キー１３ａへの入力を受け付けなかった場合に、音声データをメモリ４４に記憶するモードである。つまり、不在着信録音モードは、一般的に「留守番電話」等と呼ばれる機能であり、着呼状態が所定時間以上継続した場合に、自動的に着呼への応答処理を行い、着呼元からの音声によるメッセージを録音するものである。
【００４２】
ＣＰＵ４９は、不在着信録音モードが有効に設定されている場合であって、通信処理部４１において電子メールを受信した際に、報知部によって音声通話の着呼時と同様の報知が行われている間に通話キー１３ａへの入力がなかった場合、音声処理部４３により受信した電子メールから変換された音声データをメモリ４４に記憶させる。
【００４３】
なお、不在着信録音モードによって、メモリ４４に音声データが保存された場合には、携帯電話機１は、表示部２１に「不在着信、メッセージ録音あり」等、音声通話の不在着信と同様の表示を行うなどして、ユーザに気付きを促す。
【００４４】
不在着信録音モードによって、メモリ４４に保存された音声データは、操作部１１から再生の指示入力があった場合に、再生されてスピーカ２２により出力される。
【００４５】
このように構成することにより、携帯電話機１は、電子メールの受信時に、その内容が音声データに変換されて出力されなかった場合にも、当該電子メールの内容を保存するので、ユーザは、音声通話における留守番電話機能と同様の操作により、未確認の電子メールの内容を、後から音声データとして聴くことが可能となる。
【００４６】
なお、報知部による報知動作中にオフフックキー１３ａへの入力がなかった場合、受信した電子メールをテキストデータのままメモリ４４に保存し、操作部１１から再生の指示入力があった際に、音声処理部４３によって当該テキストデータを音声データに変換させ、スピーカ２２に出力するように構成しても良い。このように、不在着信録音モードによって、メモリ４４に電子メールのテキストデータが保存された場合にも、携帯電話機１は、表示部２１に「不在着信、メッセージ録音あり」等の表示を行うなどして、ユーザに気付きを促す。
【００４７】
図３は、携帯電話機１の処理の流れについて示すフローチャートである。
【００４８】
先ず、ステップＳ１において、通信処理部４１は、音声通話、又は電子メールを着信すると、ＣＰＵ４９へ通知する
【００４９】
ステップＳ２において、ＣＰＵ４９は、ステップＳ１における通信処理部４１での着信が音声通話の着呼であるか電子メールの受信であるかを判定する。音声通話の着呼である場合（Ｙｅｓ）には、ステップＳ４へ移る。一方、電子メールの受信である場合（Ｎｏ）には、ステップＳ３へ移る。
【００５０】
ステップＳ３において、ＣＰＵ４９は、電子メールの音声読み上げのための事前処理を行う。なお、事前処理としては、
（１）電子メールのテキストデータを一時保存
（２）電子メールのテキストデータを音声データに変換して一時保存
のいずれかが適用できる。
ステップＳ４において、ＣＰＵ４９は、音声通話の着信時の報知方法として予め設定された方法で、着信報知を行うよう、報知部を制御する。
【００５１】
ステップＳ５において、ＣＰＵ４９は、一定期間内に操作部１１からの音声通話の着呼への応答を指示する入力の有無、即ち、オフフックキー１３ａへの入力の有無を判定する。オフフックキー１３ａへの入力があった場合（Ｙｅｓ）には、ステップＳ６へ移る。一方、オフフックキー１３ａへの入力がなかった場合（Ｎｏ）には、ステップＳ１０へ移る。
【００５２】
ステップＳ６において、通信処理部４１での着信が音声通話の着呼である場合、ステップＳ７へ移る。一方、通信処理部４１での着信が電子メールの受信である場合には、ステップＳ９へ移る。
【００５３】
通信処理部４１での着信が音声通話の着呼であった場合、ステップＳ７において、通信処理部４１は、音声通話の着信に対する応答処理を行い、ステップＳ８へ移る。ステップＳ８において、音声処理部４３は、通信処理部４１において受信した音声データをスピーカ２２から出力し、マイク１２に入力された音声を音声データとして通信処理部４１より送信する等、通話に際しての音声処理を行う。
【００５４】
通信処理部４１での着信が電子メールの受信であった場合、ステップＳ９において、音声処理部４３は、受信した電子メールの音声読み上げのための処理を行う。なお、ステップＳ３における事前処理において、（１）電子メールのテキストデータを一時保存、が行われている場合、音声処理部４３は、電子メールの音声読み上げ処理として、一時保存されているテキストデータを音声データに変換しながら、スピーカ２２より出力する。ステップＳ３における事前処理において、（２）電子メールのテキストデータを音声データに変換して一時保存、が行われている場合、音声処理部４３は、電子メールの音声読み上げ処理として、一時保存されている音声データをスピーカ２２より出力する。
【００５５】
ステップＳ１０において、ＣＰＵ４９は、不在着信録音モードを有効に設定しているか否かを判定する。不在着信録音モードを有効に設定している場合（Ｙｅｓ）には、ステップＳ１１へ移る。一方、不在着信録音モードを無効に設定している場合（Ｎｏ）には、処理を終了する。
【００５６】
ステップＳ１１において、通信処理部４１での着信が音声通話の着呼である場合、ステップＳ１２へ移る。一方、通信処理部４１での着信が電子メールの受信である場合には、ステップＳ１４へ移る。
【００５７】
通信処理部４１での着信が音声通話の着呼であった場合、ステップＳ１２において、通信処理部４１は、音声通話の着信に対する応答処理を行い、ステップＳ１３において、ＣＰＵ４９は、通信処理部４１において受信した音声データ、即ち、通話相手からの音声メッセージをメモリ４４に保存（録音）する。
【００５８】
通信処理部４１での着信が電子メールの受信であった場合、ステップＳ１４において、ＣＰＵ４９は、受信した電子メールの内容をメモリ４４に保存する。なお、電子メールの内容を保存する際には、そのテキストデータを保存しても良いし、テキストデータを音声データに変換して保存しても良い。
【００５９】
なお、上記では、不在着信録音モードが有効である時のみ、受信した電子メールの内容を保存するものとしたが、不在着信録音モードが有効となっていない場合でも、電子メールを受信し、報知部による報知が一定期間行われている間にオフフックキー１３ａへの入力がなかった場合には、その内容を保存するようにしても良い。
【００６０】
図４は、メモリ４４に保存（録音）されたメッセージを再生する処理の流れについて示すフローチャートである。
【００６１】
ステップＳ２１において、操作部１１より不在着信録音メッセージの再生指示が入力されると、ステップＳ２２において、ＣＰＵ４９は、再生指示された不在着信録音メッセージが、音声データとして保存されたものか、テキストデータとして保存されたものかを判定する。再生指示されたのが音声データであれば、音声処理部４３は、当該音声データをスピーカ２２から出力する（ステップＳ２３）。再生指示されたのがテキストデータであれば、音声処理部４３は、当該テキストデータを音声データに変換し（ステップＳ２４）、スピーカ２２より出力する（ステップＳ２５）。
【００６２】
以上のように、本実施形態の携帯電話機１によれば、ユーザは、電子メールであることを意識せずに、音声通話の着呼として、それに対する応答処理を行うだけで、受信した電子メールの内容を音声で聴くことができる。
【００６３】
また、電子メールを受信した際、報知動作中にオフフックキー１３ａが押下されなければ、当該電子メールを不在着信録音データとして保存するので、ユーザは、後から当該電子メールの内容を音声データとして再生させて聴くことができる。
【００６４】
また、携帯電話機１は、メール用のＵＩ（Ｕｓｅｒ  Ｉｎｔｅｒｆａｃｅ）を提供する必要がなく、通話機能を実現するための最低限のハードウェア（キーや表示部）を有すれば良いため、例えば高齢者等、煩雑な操作を得意としないユーザ向けの簡易な携帯電話機でも、メールの受信、及びその内容の確認を可能とし、その利便性を向上できる。
【００６５】
以上、本発明の実施形態について説明したが、本発明は上述した実施形態に制限されるものではなく、適宜変更が可能である。例えば、上述した実施形態では、音声処理部４３による音声データの変換方法については、特に制限されない。音声処理部４３は、例えば人工音声によってテキストデータを音声データに変換してもよい。
【００６６】
また、上述した実施形態では、ＣＰＵ４９は、電子メールのテキストデータを変換した音声データを出力した後に、その電子メールを受信したことを確認する確認メールを、返信するように構成してもよい。
【符号の説明】
【００６７】
１  携帯電話機（電話機）
１１  操作部（着呼応答指示入力部、再生指示入力部）
２２  スピーカ（音声出力部）
４１  通信処理部（電子メール受信部、音声通話部）
４３  音声処理部（音声変換部）
４４  メモリ（記憶部）
４９  ＣＰＵ（制御部、着呼応答処理部、モード設定部）
【図１】
2010171543.tif 000003
【図２】
2010171543.tif 000004
【図３】
2010171543.tif 000005
【図４】
2010171543.tif 000006